(57)【要約】【課題】ティッシュペーパ箱をキャビネット本体の底面に収納しない場合でも、キャビネット本体の底面の孔を塞ぎ、収納スペースを有効活用できる収納キャビネットを提供する。【解決手段】キャビネット本体１の底面に孔部３を設け、底面の上側にティッシュペーパ箱４を載置し、キャビネット本体１の下側よりティッシュペーパ１０を取り出し可能とした収納キャビネットであって、ティッシュペーパ箱４の上方に棚５を設け、下方へ突出した回動自在の落下防止バー６と落下防止バー６を収納する凹部７を棚５の下面に備え、キャビネット本体１の底面に棚５を載置可能とした。【選択図】      図１
2004173788.tif 000002
【特許請求の範囲】
【請求項１】
キャビネット本体の底面に孔部を設け、底面の上側にティッシュペーパ箱を載置し、キャビネット本体の下側よりティッシュペーパを取り出し可能とした収納キャビネットであって、ティッシュペーパ箱の上方に棚を設け、下方へ突出した回動自在の落下防止バーと落下防止バーを収納する凹部を棚の下面に備えると共に、キャビネット本体の底面に棚を載置可能としたことを特徴とする収納キャビネット。
【請求項２】
棚の上面に、上方へ突出する落下防止バーを取り付けたことを特徴とする請求項１に記載の収納キャビネット。
【発明の詳細な説明】
【０００１】
【発明の属する技術分野】
本発明は、ティッシュペーパ箱等を収納する収納キャビネットに関する。
【０００２】
【従来の技術】
従来より、洗面化粧台等の収納キャビネットにおいて、キャビネット本体の底面に孔を開け、底面の上側にティッシュペーパ箱を載置し、キャビネット本体の下側よりティッシュペーパを取り出していた。（例えば、特許文献１参照）
しかし、ティッシュペーパ箱をキャビネット本体に収納しない場合、キャビネット本体の底面に孔があいたままになっていて、物が置けなくなり、収納スペースを有効活用できないという問題があった。
【０００３】
【特許文献１】
実開平３−３３５３８号公報（第１、２頁、図２、図３）
【０００４】
【発明が解決しようとする課題】
本発明は、上記の問題点を解消するためのもので、ティッシュペーパ箱をキャビネット本体の底面に収納しない場合でも、キャビネット本体の底面の孔を塞ぎ、収納スペースを有効活用できる収納キャビネットを提供するものである。
【０００５】
【課題を解決するための手段】
本発明の請求項１記載の収納キャビネットは、キャビネット本体の底面に孔部を設け、底面の上側にティッシュペーパ箱を載置し、キャビネット本体の下側よりティッシュペーパを取り出し可能とした収納キャビネットであって、ティッシュペーパ箱の上方に棚を設け、下方へ突出した回動自在の落下防止バーと落下防止バーを収納する凹部を棚の下面に備えると共に、キャビネット本体の底面に棚を載置可能としたことを特徴とする。
【０００６】
このものにあっては、キャビネット本体の底面に孔部を設け、キャビネット本体の底面に上下を逆にした形でティッシュペーパ箱を載せ、ティッシュペーパ箱の上に棚を設けると共に、棚の下面にティッシュペーパ箱の落下を防止する落下防止バーを取り付けているので、ティッシュペーパ箱が下方に落下することなく、キャビネット本体の下側からティッシュペーパを取り出すことができる。
【０００７】
また、ティッシュペーパ箱をキャビネット本体の底面に収納しない場合、棚の下面に落下防止バーを収納する凹部を設けているので、落下防止バーを棚に収納し、棚を下方に可動させてキャビネット本体の底面に載置することにより、キャビネット本体の底面の孔を塞ぐことができるので、物が置けるようになり、収納スペースを有効活用できるようになる。
【０００８】
本発明の請求項２に記載の収納キャビネットは、請求項１に記載の収納キャビネットにおいて、棚の上面に、上方へ突出する落下防止バーを取り付けたことを特徴とする。
【０００９】
このものにあっては、棚の上面に、上方に突出する落下防止バーを取り付けることにより、棚の上に置いた収納物が下方に落下するのを防止することができる。
【００１０】
【発明の実施の形態】
以後、本発明の実施形態を、図を用いて説明する。
【００１１】
図１乃至図５は、本発明の実施形態に係る収納キャビネットの実施例を示すものである。
【００１２】
キャビネット本体１は、下部に棚５を設けていて、この棚５は上下に可動させることができる。キャビネット本体１の側板１２の内側に、棚５が上下動できるように適宜上下の位置にタボ１３を設けていて、このタボ１３が棚５を支持している。（図３参照）
棚５の下面に落下防止バー６を設けていて、この落下防止バー６は縦断面がコ字状で、両端が略垂直に棚５に取り付けられている。
【００１３】
また、棚５の下面に、凹部７を設けており、この凹部７の横断面形状は落下防止バー６の縦断面形状と略同一である。尚、凹部７の横断面形状は落下防止バー６の縦断面形状より大きくても良い。
【００１４】
棚５の下面に取り付けられた落下防止バー６は、落下防止バー６の両端を結ぶ直線を軸にして後方へ回動することができる。尚、落下防止バー６を前方へ回動しようとすると、落下防止バー６の端部が凹部７の側端部に突き当たるので、落下防止バー６を前方へ回動することはできない。
【００１５】
また、棚５の上面に落下防止カバー８を設けていて、この落下防止カバー８は縦断面が逆コ字状で、両端が略垂直に棚５に固定されている。
【００１６】
キャビネット本体１の底面に、孔部３を設けていて、この孔部３は指が数本入る程度の大きさである。
【００１７】
また、キャビネット本体１の底面と棚５との間に、ティッシュペーパ１０を収納したティッシュペーパ箱４を載置している。
【００１８】
尚、キャビネット本体１の底面に載置されたティッシュペーパ箱４は、上下が逆になっていて、キャビネット本体１の扉１１が閉じている場合でも、キャビネット本体１の底面の孔部３よりティッシュペーパ１０を取り出すことができる。
【００１９】
図４に示すように、ティッシュペーパ箱４と棚５との間に、ティッシュペーパ１０を取り出せる程度の隙間をあけている。
【００２０】
したがって、キャビネット本体１の底面に孔部３を設け、キャビネット本体１の底面に上下を逆にした形でティッシュペーパ箱４を載せ、ティッシュペーパ箱４の上に棚を設けると共に、棚５の下面にティッシュペーパ箱４の落下を防止する落下防止バー６を取り付けているので、ティッシュペーパ箱４が下方に落下することなく、キャビネット本体１の下側からティッシュペーパ１０を取り出すことができる。
【００２１】
また、ティッシュペーパ箱４をキャビネット本体１の底面に収納しない場合、棚５の下面に落下防止バー６を収納する凹部７を設けているので、落下防止バー６を棚５に収納し、棚５を下方に可動させてキャビネット本体１の底面に載置することができる。
【００２２】
したがって、棚５をキャビネット本体１の底面に載置することにより、キャビネット本体１の底面の孔部３を塞ぐことができるので、物が置けるようになり、収納スペースを有効活用できるようになる。
【００２３】
更に、棚５の上面にも落下防止バー８を取り付けているので、棚５の上に置いた収納物が下方に落下するのを防止することができる。
【００２４】
【発明の効果】
以上の説明により、本発明の請求項１記載の収納キャビネットによると、キャビネット本体の底面に孔部を設け、キャビネット本体の底面に上下を逆にした形でティッシュペーパ箱を載せ、ティッシュペーパ箱の上に棚を設けると共に、棚の下面にティッシュペーパ箱の落下を防止する落下防止バーを取り付けているので、ティッシュペーパ箱が下方に落下することなく、キャビネット本体の下側からティッシュペーパを取り出すことができる。
【００２５】
また、ティッシュペーパ箱をキャビネット本体の底面に収納しない場合、棚の下面に落下防止バーを収納する凹部を設けているので、落下防止バーを棚に収納し、棚を下方に可動させてキャビネット本体の底面に載置することにより、キャビネット本体の底面の孔を塞ぐことができるので、物が置けるようになり、収納スペースを有効活用できるようになる。
【００２６】
本発明の請求項２に記載の収納キャビネットによると、棚の上面に、上方に突出する落下防止バーを取り付けることにより、棚の上に置いた収納物が下方に落下するのを防止することができる。
【図面の簡単な説明】
【図１】本発明の実施形態に係る収納キャビネットの実施例を示す斜視図である。
【図２】同上の収納キャビネットの実施例であって、（ａ）は棚を示す斜視図、（ｂ）は棚を示す縦断面図である。
【図３】同上の収納キャビネットの実施例を示す組立図である。
【図４】同上の収納キャビネットの実施例であって、第一例を示す斜視図である。
【図５】同上の収納キャビネットの実施例であって、第二例を示す斜視図である。
【符号の説明】
１      キャビネット本体
３      孔部
４      ティッシュペーパ箱
５      棚
６      落下防止バー
７      凹部
８      落下防止バー
１０    ティッシュペーパ
【図１】
2004173788.tif 000003
【図２】
2004173788.tif 000004
【図３】
2004173788.tif 000005
【図４】
2004173788.tif 000006
【図５】
2004173788.tif 000007